【手続補正書】
【提出日】平成19年3月8日(2007.3.8)
【手続補正１】
【補正対象書類名】明細書
【補正対象項目名】特許請求の範囲
【補正方法】変更
【補正の内容】
【特許請求の範囲】
【請求項１】
骨髄組織をサンプリングするための生検針器具であって、
当該器具は、前記針を前記骨髄組織内に挿入するためのハンドルを含み、
前記針は、前記ハンドルに結合された、骨髄組織サンプルを切断し且つ受容するために構成された、単一の中空管をさらに含み、
該管は、（ａ）前記骨髄組織サンプルのための組織受容空間を定める管ボアと、（ｂ）実質的に剛的な先端部と、前記骨髄組織に接触するよう構成される外壁とを有し、該外壁は、該外壁に切り込まれた少なくとも１つのスロットを含む切削部を備え、前記スロットは、少なくとも１つの鋭いエッジを有し、前記スロットは、約１ｍｍ未満の幅を有し、前記切削部は、前記管に沿って軸方向に延在することで、前記骨髄組織を研削し、それによって、前記単一の中空管の前記先端部を前記骨髄組織内で横方向に移動可能とし、前記骨髄組織サンプルの引出しを容易化する、
生検針。
【請求項２】
前記スロットの２つの外部エッジが、前記外壁と前記スロットとの交差によって定められる、請求項１に記載の生検針。
【請求項３】
前記スロットは、前記外壁と前記ボアとの間で前記サンプリング管を通じて延在する、請求項１に記載の生検針。
【請求項４】
前記研削部は、前記管の周りに離間された複数の前記スロットを含む、請求項１に記載の生検針。
【請求項５】
前記研削部の前記スロットは、前記先端部から離間する、請求項４に記載の生検針。
【請求項６】
前記スロットは、軸方向に前記先端部から少なくとも１ｃｍ延在する、請求項１に記載の生検針。
【請求項７】
前記管は、隣接する組織から前記組織サンプルのベース部分を分離するのを助けるために、前記先端部にサンプル分離部をさらに含む、請求項１に記載の生検針。
【請求項８】
前記サンプル分離部は、前記先端部の壁に切り込まれたサンプル分離部スロットを含む、請求項７に記載の生検針。
【請求項９】
前記サンプル分離部スロットは、前記先端部の前記壁を通じて延在する、請求項８に記載の生検針。
【請求項１０】
前記サンプル分離部は、前記先端部の周りに円周的に、複数の前記サンプル分離部スロットを含む、請求項８に記載の生検針。
【請求項１１】
前記サンプル分離部スロットは、１ｍｍと２ｍｍとの間の長さを有する、請求項８に記載の生検針。
【請求項１２】
前記サンプル分離部の少なくとも一部は、前記研削部の少なくとも一部と実質的に反対側で前記管上に配置される、請求項７に記載の生検針。
【請求項１３】
サンプリングされる前記骨髄組織内への前記管の過剰挿入を抑制するストップ部をさらに含む、請求項１に記載の生検針。
【請求項１４】
前記ストップ部の少なくとも一部は、前記ハンドルの少なくとも一部と一体的に形成される、請求項１３に記載の生検針。
【請求項１５】
前記管ボアは、前記ハンドルを通じて延在する、請求項１に記載の生検針。
【請求項１６】
前記ハンドルは、前記管ボアに対する吸引装置の接続のために適合される、請求項１５に記載の生検針。
【請求項１７】
前記管の回転のために、前記生検針をモータドライブに結合するための結合部をさらに含む、請求項１５に記載の生検針。
【請求項１８】
前記結合部は、前記針から分離可能であり、前記管によって収容されるよう構成されるシャフトと、前記モータドライブを接続するための接続部と、前記ハンドルと係合するドライブ部とを含む、請求項１７に記載の生検針。
【請求項１９】
前記管は、鋭利にされ、面取りされた先端部を有する、請求項１に記載の生検針。
【請求項２０】
組織サンプルを受容するボアを内部に備えるサンプリング管を含む組織サンプリング部材と、
前記生検針を手動で挿入するために前記組織サンプリング部材に接続されるハンドルと、
前記針を回転するモータドライブに結合するために、前記組織サンプリング部材に分離可能に接続される結合手段とを含み、
前記針は、手動挿入及びモータ補助挿入の両方のために適合可能である、
骨髄組織をサンプリングするための生検針。
【請求項２１】
前記サンプリング管の外面は、前記サンプリングされた組織と接触し、前記モータドライブは、少なくとも前記外面を回転する、請求項２０に記載の生検針。
【請求項２２】
ストップ部をさらに含み、該ストップ部は、前記サンプリングされた組織内への前記サンプリング管の過剰挿入を抑制するために、前記サンプリング管の拡大部を含む、請求項２０に記載の生検針。
【請求項２３】
前記拡大部は、前記サンプリング管の先端部から固定距離に配置される、請求項２２に記載の生検針。
【請求項２４】
前記ストップ部の少なくとも一部は、前記ハンドルの少なくとも一部と一体的に形成される、請求項２２に記載の生検針。
【請求項２５】
前記結合部材は、前記針から分離可能であり、前記サンプリング管によって受容されるよう構成されるシャフトと、前記モータドライブを接続するための接続部と、前記ハンドルと係合するドライブ部分とを含む、請求項２０に記載の生検針。
【請求項２６】
軸方向に延在する内腔を貫通して有し、遠位の及び近位の端を有する、単一の細長い管状のカニューレと、
該カニューレの近位の端に取り付けられ、前記カニューレの前記軸に対して横方向に延在し、前記カニューレの前記近位の端と整列し且つ前記近位の端で開かれる空洞を有するカニューレハンドルと、
面取りされ、鋭利にされ、且つ、前記近位の端と自由に流体連絡する前記カニューレの遠位の端と、
前記カニューレの遠位の端の外表面上にある凹みと、
前記カニューレの遠位の端の外表面上にある拡張部と、
前記カニューレの内腔と同軸であり、前記カニューレの内腔と流体流連絡する前記カニューレハンドル中のオリフィスと、
前記オリフィス内に嵌るような大きさに作られ、前記近位の端に取り付けられるノブを有するスチレットと、
前記カニューレの内腔内に摺動可能に受容され、前記ノブから延在する細長いスチレットシャフトとを有し、
前記スチレットは、前記カニューレの上記遠位の端から遠位の方に延在する、鋭利な遠位の先端を有し、
前記オリフィスは、前記細長いスチレットと前記細長いカニューレとの間で相対的な回転が行われること無く上記オリフィス中に位置決めされる前記細長いスチレットの方向のいずれかの軸の回りで力が回転式に加えられてもよいよう前記ノブを保持し、
前記オリフィス内に嵌められるような大きさに作られ、前記近位の端に取り付けられるノブを有するコネクタ取り付け部を有し、
前記コネクタ取り付け部は、近位の端に取り付けられるシャフトを有し、前記ノブ及び前記シャフトは遠位の方に上記カニューレハンドルの前記オリフィス内に嵌められるような大きさに作られ、前記ノブは電気ドリル又は電気スクリュードライバに隣接して嵌るような大きさに作られ、
前記オリフィスは、前記細長いコネクタ取り付け部と前記細長いカニューレとの間で相対的な回転が行われること無く前記オリフィス中に位置決めされる前記細長いコネクタ取り付け部のいずれかの軸の方向の回りで力が回転式に加えられてもよいよう前記コネクタ取り付け部の前記ノブを保持し、
電気ドリル又は電気スクリュードライバと、
前記電気ドリル又は電気スクリュードライバの周りに嵌るような大きさに作られるシースとを有し、
該シースは、前記電気ドリル又は電気スクリュードライバを受容する開口部を有し、
前記開口部は、前記電気ドリル又は電気スクリュードライバを囲うためのストラップ又は糸を有し、
前記オリフィス内に摺動可能に嵌るような大きさに作られ、近位の端に取り付けられるノブを有するプッシュロッドと、
前記カニューレの内腔内に摺動可能に受容され、前記プッシュロッドの前記ノブから延在する細長いシャフトとを有し、
前記プッシュロッドは、前記カニューレの前記遠位の端から遠位の方に延在する鈍い遠位の先端を有する、
生検針組立体。
【請求項２７】
モータドライブと、ドライブシャフトを除き前記モータドライブを実質的に封入する絶縁、滅菌、又は、滅菌可能な保護シースとをさらに含むことによって、前記モータドライブは、前記モータドライブが前記シース内にある間、前記組織サンプリング部材を駆動するよう動作され得る、請求項２０に記載の生検針。